【手続補正書】
【提出日】平成25年10月19日(2013.10.19)
【手続補正１】
【補正対象書類名】明細書
【補正対象項目名】０００６
【補正方法】変更
【補正の内容】
【０００６】
この出願の発明に関連する先行技術文献情報としては、以下のものがある（国際出願日以降国際段階で引用された文献及び他国に国内移行した際に引用された文献を含む）。
（先行技術文献）
（特許文献）
【特許文献１】  米国特許第５，３６４，８８６号明細書
【特許文献２】  米国特許第６，５０３，５５２号明細書
【特許文献３】  米国特許出願公開第２００２／０１８２７３６号明細書
（非特許文献）
Amie´D,Davidovi´cD,Be.sloD,RastijaV,Lu.c B, Trinajsti´of the antioxidant activity of flavonoids. Curr Med Chem 14:827-45.
Bravo, L., 1998. Polyphenols: Chemistry, dietary sources, metabolism, and nutritional significance. Nutrition Reviews 56, 317-333.
Buettner GR. 1993. The pecking order of free radicals and antioxidants: lipid peroxidation, alpha-tocopherol, and ascorbate. Arch Biochem Biophys 300:535-43.
Conte A, Scrocco C, Sinigaglia M, Del Nobile MA. 2009. Lemon extract as natural preservative in fruit salad. J Food Saf 29:601-16.
Crozier A, Clifford MN, Ashihara H, eds. 2006. Plant secondary metabolites. Oxford: Blackwell Publishing. 372 p. 
Cuvelier C, Bondet V, Berset C. 2000. Behavior of phenolic antioxidants in a partitioned medium: structure-activity relationship. J Am Oil Chem Soc 77:819-23. 
Davalos A, Gomez-Cordoves C, Bartolome B. 2004. Extending Applicability of the Oxygen Radical Absorbance Capacity (ORAC-Fluorescein) Assay. J Agric Food Chem 52:48-54. 
Delgado-Vargas, F.; Jimenez, A.R.; Paredes-Lopez, O., 2000. Natural pigments: Carotenoids, anthocyanins, and betalains - Characteristics, biosynthesis, processing, and stability. Critical Reviews in Food Science and Nutrition 40, 173-289.
Di Majo D, Giammanco M, La Guardia M, Tripoli E, Giammanco S, Finotti E. 2005. Flavanones in citrus fruit: structure-antioxidant activity relationships. Food Res Int 38:1161-6. 
Foley S, Navaratnam S, McGarvey DJ, Land EJ, Truscott TG, Rice-Evans CA. 1999. Singlet oxygen quenching and the redox properties of hydroxycinnamic acids. Free Radic Biol Med 26:1202-208. 
Franke A, Custer L, Arakaki C, Murphy S. 2004. Vitamin C and flavonoid levels of fruits and vegetables consumed in Hawaii. J Food Compost Anal 17:1-35. 
Frankel EN, Huang SW, Kanner J, German JB. 1994. Interfacial phenomena in the evaluation of antioxidants: bulk oil vs. emulsions. J Agric Food Chem 42:1054-9. 
Freeman, B.; Eggett, D.; Parker, T. Synergistic and antagonistic interactions of phenolic compounds found in navel oranges. J. Food. Sci. 2010, in press.
Galal AM. 2006. Natural product-based phenolic and nonphenolic antimicrobial food preservatives and 1,2,3,4-tetrahydroxybenzene as a highly effective representative: a review of patent literature 2000-2005. Recent Pat Antiinfect Drug Discov 1:231-9. 
Gitz, D.; Liu, L.; McClure, J. Phenolic metabolism, growth, and uv-b tolerance in phenylalanine ammonia-lyase-inhibited red cabbage. Phytochemistry. 1998, 49, 377-386
Halliwell, B., Zhao, K., Whiteman, M., 2000. The gastrointestinal tract: A major site of antioxidant action? Free Radicals Research 33, 819-830.
Harnly JM, Doherty RF, Beecher GR, Holden JM, Haytowitz DB, Bhagwat S, Gebhardt S. 2006. Flavonoid content of U.S. fruits, vegetables and nuts. J Agric Food Chem 54:9966-77. 
Hidalgo, M.; Sanchez-Moreno, C.; de Pascual-Teresa, S., 2010. Flavonoid-flavonoid interaction and its effect on their antioxidant activity. Food Chemistry 121, 691-696.
Hwang J, Hodis HN, Sevanian A. 2001. Soy and alfalfa phytoestrogen extracts become potent low-density lipoprotein antioxidants in the presence of acerola cherry extract. J Agric Food Chem 49:308-14. 
Jorgensen LV, Skibsted LH. 1998. Flavonoid deactivation of ferrylmyoglobin in relation to ease of oxidation as determined by cyclic voltammetry. Free Radic Res 28:335-51. 
Jovanovic SV, Steenken S, Tosic M, Marjanovic B, Simic MG. 1994. Flavonoids as antioxidants. J Am Chem Soc 116:4846-51. 
Koga T, Terao J. 1995. Phospholipids increase radical-scavenging activity of vitamin E in a bulk oil model system. J Agric Food Chem 43:1450-4. 
Liao K, Yin M. 2000. Individual and combined antioxidant effects of seven phenolic agents in human erythrocyte membrane ghosts and phosphatidylcholine liposome systems: importance of the partition coefficient. J Agric Food Chem 48:2266-70. 
Lila MA, Raskin I. 2005. Health-related interactions of phytochemicals. J Food Sci 70:R20-7. 
Miller NJ, Rice-Evans CA. 1997. The relative contributions of ascorbic acid and phenolic antioxidants to the total antioxidant activity of orange and apple fruit juices and blackcurrant drink. Food Chem 60:331-7. 
Oliveira CEV, de Stamford TLM, Gomes Neto NJ, de Souza EL. 2010. Inhibition of Staphylococcus aureus in broth and meat broth using synergies of phenolics and organic acids. Int J Food Microbiol 137:312-16. 
Osmani, S.A.; Hansen, E.H.; Malien-Aubert, C.; Olsen, C.-E.; Bak, S.; Moller, B.L., 2009. Effect of glucuronosylation on anthocyanin color stability. Journal of Agricultural and Food Chemistry 57, 3149-3155.
Ou B, Huang D, Hampsch-Woodill M, Flanagan JA, Deemer EK. 2002. Analysis of antioxidant activities of common vegetables employing oxygen radical absorbance capacity (ORAC) and ferric reducing antioxidant power (FRAP) assays: a comparative study. J Agric Food Chem 50:3122-8. 
Parker TL, Miller SA, Myers LE, Miguez FE, Engeseth NJ. 2010. Evaluation of synergistic antioxidant potential of complex mixtures using oxygen radical absorbance capacity (ORAC) and electron paramagnetic resonance (EPR). J Agric Food Chem 58:209-17. 
Peyrat-Maillard MN, Cuvelier ME, Berset C. 2003. Antioxidant activity of phenolic compounds in 2,2'-azobis(2-amidinopropane) dihydrochloride (AAPH)-induced oxidation: synergistic and antagonistic effects. J Am Oil Chem Soc 80:1007-12. 
Proteggente A, Saija A, De Pasquale A, Rice-Evans C. 2003. The compositional characterisation and antioxidant activity of fresh juices from sicilian sweet (Citrus sinensis L. Osbeck) varieties. Free Radic Res 37:681-7. 
Rice-Evans CA. 2001. Flavonoid antioxidants. Curr Med Chem 8:797-807. 
Rice-Evans, C., Miller, N., Paganga, G., 1996. Structure-antioxidant activity relationships between flavonoids and phenolic acids. Free Radicals in Biology and Medicine 20, 933-956.
Robards K, Prenzler PD, Tucker G, Swatsitang P, Glover W. 1999. Phenolic compounds and their role in oxidative processes in fruits. Food Chem 66:401-36. 
Rodr´iguez Vaquero MJ, Nadra MCM de. 2008. Growth parameter and viability modifications of Escherichia coli by phenolic compounds and Argentine wine extracts. Appl Biochem Biotechnol 151:342-52. 
Serra AT, Matias AA, Nunes AVM, Leitao MC, Brito D, Bronze R, Silva S, Pires A, Crespo MT, San Romao MV, Duarte CM. 2008. In vitro evaluation of olive-and grape-based natural extracts as potential preservatives for food. Innov Food Sci Emerg Technol 9:311-19. 
U.S.Department of Agriculture, A Database for the Flavonoid Content of Selected Foods [Internet]. Release 2.1. Beltsville, MD: U.S. Department of Agriculture; c2007. Available from: http://www.ars.usda.gov/nutrientdata. Accessed Mar 15, 2010. 
U. S. Department of Agriculture, A Database for the Flavonoid Content of Selected Foods. http://www.nal.usda.gov/fnic/foodcomp
U.S. Department of Agriculture, Agricultural Research Service. (2007) USDA Database for the Flavonoid Content of Selected Foods, Release 2.1. Retrieved March 2010 from: http://www.ars.usda.gov/Services/docs.htm?docid=6231
U.S. Department of Agriculture, Agricultural Research Service. (2010). Oxygen Radical Absorbance Capacity of Selected Foods, Release 2. Retrieved March 2010 from: http://www.ars.usda.gov/Services/docs.htm?docid=15866
van't Veer, P.; Jansen, M. C. J. F.; Klerk, M.; Kok, F. J. Fruits and vegetables in the prevention of cancer and cardiovascular disease. Public Health Nutr.2000, 3, 103-107.
Yang J, Liu RH. 2009. Synergistic effect of apple extracts and quercetin 3-β-D-glucoside combination on antiproliferative activity in MCF-7 human breast cancer cells in vitro. J Agric Food Chem 57:8581-6. 
Zhao, Y., 2007. Berry Fruit: Value-Added Products for Health Promotion. (pp. 152-153). Boca Raton, Florida, USA: CRC Press. 
Zheng W, Wang SY. 2003. Oxygen radical absorbing capacity of phenolics in blueberries, cranberries, chokeberries, and lingonberries. J Agric Food Chem 51:502-9.
【発明の概要】  
【課題を解決するための手段】